(57)【要約】【課題】介護ベッド用リモートコントローラーの使い勝手を向上させること。【解決手段】本発明では、背部や脚部の受台(5)を起倒させたり昇降させるために用いる介護ベッド用リモートコントローラー(1)において、コントローラー本体(21)の後面に脚体(22,23)を上下に間隔をあけて形成した。また、前記脚体(22,23)の上下間隔を介護ベッド(2)に形成した側柵(6)の横桟(13〜16)の上下間隔と同一の間隔とし、側柵(6)の上下の横桟(13〜16)にそれぞれ上下の脚体(22,23)を係止可能とした。さらに、前記コントローラー本体(21)にフック(24)を設け、フック(24)と脚体(22,23)との間の上下間隔を介護ベッド(2)に形成した側柵(6)の横桟(13〜16)の上下間隔と同一の間隔とし、側柵(6)の上下の横桟(13〜16)にそれぞれ上下の脚体(22,23)及びフック(24)を係止可能とした。【選択図】図３
2012200470.tif 000002
【特許請求の範囲】
【請求項１】
背部や脚部の受台を起倒させたり昇降させるために用いる介護ベッド用リモートコントローラーにおいて、
コントローラー本体の後面に脚体を上下に間隔をあけて形成したことを特徴とする介護ベッド用リモートコントローラー。
【請求項２】
前記脚体の上下間隔を介護ベッドに形成した側柵の横桟の上下間隔と同一の間隔とし、側柵の上下の横桟にそれぞれ上下の脚体を係止可能としたことを特徴とする請求項１に記載の介護ベッド用リモートコントローラー。
【請求項３】
前記コントローラー本体にフックを設け、フックと脚体との間の上下間隔を介護ベッドに形成した側柵の横桟の上下間隔と同一の間隔とし、側柵の上下の横桟にそれぞれ上下の脚体及びフックを係止可能としたことを特徴とする請求項２に記載の介護ベッド用リモートコントローラー。
【請求項４】
前記コントローラー本体の前面であって前記上下の脚体の間に操作ボタンを配置したことを特徴とする請求項１〜請求項３のいずれかに記載の介護ベッド用リモートコントローラー。
【請求項５】
前記コントローラー本体の前面に凹部を形成し、その凹部に操作ボタンを配置したことを特徴とする請求項１〜請求項４のいずれかに記載の介護ベッド用リモートコントローラー。
【請求項６】
前記コントローラー本体に設けた操作ボタンの形状をその操作によって生じる受台の稼働方向を示す形状としたことを特徴とする請求項１〜請求項５のいずれかに記載の介護ベッド用リモートコントローラー。
【発明の詳細な説明】
【技術分野】
【０００１】
本発明は、背部や脚部の受台を起倒させたり昇降させるために用いる介護ベッド用リモートコントローラーに関するものである。
【背景技術】
【０００２】
従来より、介護ベッドとして使用されるリクライニング式ベッドは、使用者の背部や脚部を受ける受台を起倒させたり昇降させることができるように構成している（たとえば、特許文献１参照。）。
【０００３】
この介護ベッドにあっては、介護者又は被介護者などが介護ベッドの各受台を起倒させたり或いは昇降させたりすることができるように、リモートコントローラーが設けられている。
【０００４】
従来の介護ベッド用リモートコントローラーは、家電製品などに見られるリモートコントローラーと同様に、縦長直方体形状に形成され、前面に円形又は四角形の操作ボタンを配置した構成となっている。
【先行技術文献】
【特許文献】
【０００５】
【特許文献１】特開２００４−１６６３５号公報
【発明の概要】
【発明が解決しようとする課題】
【０００６】
ところが、上記従来の介護ベッド用リモートコントローラーにあっては、必ずしも健常者によって操作されるとは限られず、疾病や障害を有する被介護者によって操作されることも多いものである。
【０００７】
そのため、従来のように通常の家電製品などに見られる縦長直方体形状に形成されて前面に操作ボタンを配置した構成のリモートコントローラーでは、被介護者にとっては使い勝手が良好なものとはいえなかった。
【課題を解決するための手段】
【０００８】
そこで、請求項１に係る本発明では、背部や脚部の受台を起倒させたり昇降させるために用いる介護ベッド用リモートコントローラーにおいて、コントローラー本体の後面に脚体を上下に間隔をあけて形成することにした。
【０００９】
また、請求項２に係る本発明では、前記請求項１に係る本発明において、前記脚体の上下間隔を介護ベッドに形成した側柵の横桟の上下間隔と同一の間隔とし、側柵の上下の横桟にそれぞれ上下の脚体を係止可能とすることにした。
【００１０】
また、請求項３に係る本発明では、前記請求項２に係る本発明において、前記コントローラー本体にフックを設け、フックと脚体との間の上下間隔を介護ベッドに形成した側柵の横桟の上下間隔と同一の間隔とし、側柵の上下の横桟にそれぞれ上下の脚体及びフックを係止可能とすることにした。
【００１１】
また、請求項４に係る本発明では、前記請求項１〜請求項３のいずれかに係る本発明において、前記コントローラー本体の前面であって前記上下の脚体の間に操作ボタンを配置することにした。
【００１２】
また、請求項５に係る本発明では、前記請求項１〜請求項４のいずれかに係る本発明において、前記コントローラー本体の前面に凹部を形成し、その凹部に操作ボタンを配置することにした。
【００１３】
また、請求項６に係る本発明では、前記請求項１〜請求項５のいずれかに係る本発明において、前記コントローラー本体に設けた操作ボタンの形状をその操作によって生じる受台の稼働方向を示す形状とすることにした。
【発明の効果】
【００１４】
そして、本発明では、以下に記載する効果を奏する。
【００１５】
すなわち、本発明では、背部や脚部の受台を起倒させたり昇降させるために用いる介護ベッド用リモートコントローラーにおいて、コントローラー本体の後面に脚体を上下に間隔をあけて形成しているために、片手に脚体を引掛けたり或いは片手の指の間で脚体を挟んだりすることでコントローラー本体を支持することができるので、介護ベッド用リモートコントローラーの使い勝手を向上させることができる。
【００１６】
特に、脚体の上下間隔を介護ベッドに形成した側柵の横桟の上下間隔と同一の間隔とし、側柵の上下の横桟にそれぞれ上下の脚体を係止可能とした場合には、介護ベッドの側柵に介護ベッド用リモートコントローラーを引掛けておくことができ、介護ベッド用リモートコントローラーが布団の内部に紛れ込んでしまうのを防止することができるとともに、操作者の体格や姿勢や好みに応じて側柵に沿って介護ベッド用リモートコントローラーの位置を変更させることができる。
【００１７】
また、コントローラー本体にフックを設け、フックと脚体との間の上下間隔を介護ベッドに形成した側柵の横桟の上下間隔と同一の間隔とし、側柵の上下の横桟にそれぞれ上下の脚体及びフックを係止可能とした場合には、介護ベッドの側柵に上下の脚体とフックの３箇所で引掛けられるため、側柵から介護ベッド用リモートコントローラーが不意に落下してしまうのを防止することができるとともに、フックだけを用いて介護ベッドのヘッドボードやフットボードなどに引掛けておくこともできる。
【００１８】
また、コントローラー本体の前面であって上下の脚体の間に操作ボタンを配置した場合には、脚体を用いて載置させた状態で介護ベッド用リモートコントローラーを操作しても介護ベッド用リモートコントローラーが転倒してしまうことがない。
【００１９】
また、コントローラー本体の前面に凹部を形成し、その凹部に操作ボタンを配置した場合には、介護ベッド用リモートコントローラーが表裏反転した状態となっても誤って操作ボタンが押圧操作されてしまうのを防止することができる。
【００２０】
さらに、コントローラー本体に設けた操作ボタンの形状をその操作によって生じる受台の稼働方向を示す形状とした場合には、操作ボタンを目視しにくい状況であっても指先の感触で正しい操作ボタンを選択することができ、不本意な操作ボタンが操作されてしまうをの防止することができる。
【図面の簡単な説明】
【００２１】
【図１】リモートコントローラーを設けた介護ベッドを示す平面模式図。
【図２】同側面模式図。
【図３】介護ベッド用リモートコントローラーの正面図。
【図４】同背面図。
【図５】同右側面図。
【図６】同側面断面図。
【発明を実施するための形態】
【００２２】
以下に、本発明に係る介護ベッド用リモートコントローラーの具体的な構成について図面を参照しながら説明する。
【００２３】
図１及び図２に示すように、本発明に係るリモートコントローラー１は、介護ベッド２に設けられ、介護ベッド２の可動部を操作するために用いられる。
【００２４】
介護ベッド２は、基台３の上部に横臥台４を取付け、横臥台４の上部に受台５を取付けるとともに、横臥台４の側部に側柵６を取付け、さらに、横臥台４の端部にヘッドボード７とフットボード８を取付けている。
【００２５】
ここで、受台５は、使用者の背中部分を受ける背部受台９と、使用者の尻部分を受ける尻部受台10と、使用者の大腿部分を受ける大腿部受台11と、使用者の下腿部分を受ける下腿部受台12とで構成しており、横臥台４に背部受台９と大腿部受台11とを起倒自在に取付けるとともに、大腿部受台11に下腿部受台12を起倒自在に取付けている。また、側柵６は、４本の円形パイプ状の横桟13〜16を上下に等間隔に並べて配置している。
【００２６】
そして、介護ベッド２は、基台３と横臥台４との間に昇降機構17を介設し、横臥台４と背部受台９との間に背部起倒機構18を介設し、横臥台４と大腿部受台11との間に脚部起倒機構19を介設しており、これらの昇降機構17・背部起倒機構18・脚部起倒機構19に制御機構20を接続し、制御機構20にリモートコントローラー１を接続している。これにより、介護ベッド２は、リモートコントローラー１を操作することによって、制御機構20で昇降機構17を昇降制御して受台５を昇降させたり、或いは、制御機構20で背部起倒機構18や脚部起倒機構19を起倒制御して背部受台９や大腿部・下腿部受台11,12を起倒させることができるようにしている。
【００２７】
リモートコントローラー１は、図３〜図６に示すように、上下に伸延させた概略箱型状のコントローラー本体21の後面に脚体22,23を上下に間隔をあけて取付けるとともに、上側の脚体22にフック24を取付けている。
【００２８】
コントローラー本体21は、全体的に丸味を帯びた箱型形状に形成され、前面に凹部25を形成し、凹部25の内部に操作ボタン26〜33を左右に２個ずつ並べて４列に配置し、操作ボタン26〜33の操作面が凹部25に収容されるようにしている。
【００２９】
ここで、１列目の左側の操作ボタン26は昇降機構17によって受台５を上昇させるもので、１列目の右側の操作ボタン27は昇降機構17によって受台５を下降させるもので、２列目の左側の操作ボタン28は背部起倒機構18によって背部受台９を上方に向けて起立させるもので、２列目の右側の操作ボタン29は背部起倒機構18によって背部受台９を下方に向けて倒伏させるもので、３列目の左側の操作ボタン30は脚部起倒機構19によって大腿部受台11を上方に向けて起立させるもので、３列目の右側の操作ボタン31は脚部起倒機構19によって大腿部受台11を下方に向けて倒伏させるもので、４列目の左側の操作ボタン32は背部・脚部起倒機構18,19によって背部・大腿部受台9,11を連動させて上方に向けて起立させるもので、４列目の右側の操作ボタン33は背部・脚部起倒機構18,19によって背部・大腿部受台9,11を連動させて下方に向けて倒伏させるものである。
【００３０】
そして、受台５や背部受台９や大腿部受台11を上方に向けて稼働させる左側の操作ボタン26,28,30,32は、正面視楕円形状のボタン本体26a,28a,30a,32aに上方へ向けた矢印形状の隆起部26b,28b,30b,32bを上方及び前方に向けて隆起させた形状とする一方、受台５や背部受台９や大腿部受台11を下方に向けて稼働させる右側の操作ボタン27,29,31,33は、正面視楕円形状のボタン本体27a,29a,31a,33aに下方へ向けた矢印形状の隆起部27b,29b,31b,33bを下方及び前方に向けて隆起させた形状として、各操作ボタン26〜33の形状をその操作ボタン26〜33の押圧操作によって生じる受台５（全体又は背部や脚部）の稼働方向を示す形状としている。
【００３１】
また、操作ボタン26〜33は、受台５や背部受台９や大腿部受台11を上方に向けて稼働させる左側の操作ボタン26,28,30,32と受台５や背部受台９や大腿部受台11を下方に向けて稼働させる右側の操作ボタン27,29,31,33とで色彩を変えるとともに、操作時に必要な押圧力を異ならせ、下方への稼働を行わせる右側の操作ボタン27,29,31,33の方が上への稼働を行わせる左側の操作ボタン26,28,30,32よりも大きな押圧力が必要になっている。これにより、左右の操作ボタン26〜33の押し間違いを防ぐようにしている。
【００３２】
脚体22,23は、上下面に側面視で凹状にくびれさせた形状の係止部34を形成して側柵６の横桟13〜16に係止可能とするとともに、上下の間隔を横桟13〜16の上下の間隔と同一の間隔としており、上下の脚体22,23の間隔の間に操作ボタン26〜33を配置している。
【００３３】
また、脚体22,23は、底面35,36を傾斜状に形成しており、コントローラー本体21を傾斜状に載置できるようにしている。
【００３４】
フック24は、可撓性を有する板状体で形成するとともに、上端部に円弧状の係止部37を形成してヘッドボード７やフットボード８や側柵６の横桟13〜16に係止可能とし、この係止部37と上側の脚体22の係止部34との上下の間隔も横桟13〜16の上下の間隔と同一の間隔としている。
【００３５】
これにより、リモートコントローラー１は、側柵６の横桟13〜16にそれぞれ上下の脚体22,23及びフック24を係止させた状態で側柵６に引掛けておくことができるようになっている。
【００３６】
以上に説明したように、リモートコントローラー１は、コントローラー本体21の後面に脚体22,23を上下に間隔をあけて形成した構成となっている。
【００３７】
そのため、上記構成のリモートコントローラー１では、片手に脚体22,23を引掛けたり或いは片手の指の間で脚体22,23を挟んだりすることでコントローラー本体21を支持することができ、リモートコントローラー１の使い勝手を向上させることができる。
【００３８】
また、上記リモートコントローラー１は、脚体22,23の上下間隔を介護ベッド２に形成した側柵６の横桟13〜16の上下間隔と同一の間隔とし、側柵６の上下の横桟13〜16にそれぞれ上下の脚体22,23を係止可能な構成としている。
【００３９】
そのため、上記構成のリモートコントローラー１では、介護ベッド２の側柵６にリモートコントローラー１を引掛けておくことができ、リモートコントローラー１が布団の内部に紛れ込んでしまうのを防止することができるとともに、操作者の体格や姿勢や好みに応じて側柵６に沿ってリモートコントローラー１の位置を変更させることができる。
【００４０】
また、上記リモートコントローラー１は、コントローラー本体21に脚体22を介してフック24を設け、フック24と脚体22,23との間の上下間隔を介護ベッド２に形成した側柵６の横桟13〜16の上下間隔と同一の間隔とし、側柵６の上下の横桟13〜16にそれぞれ上下の脚体22,23及びフック24を係止可能な構成としている。
【００４１】
そのため、上記構成のリモートコントローラー１では、介護ベッド２の側柵６に上下の脚体22,23とフック24の３箇所で引掛けられるため、側柵６からリモートコントローラー１が不意に落下してしまうのを防止することができるとともに、フック24だけを用いて介護ベッド２のヘッドボード７やフットボード８などに引掛けておくこともできる。
【００４２】
また、上記リモートコントローラー１は、コントローラー本体21の前面であって上下の脚体22,23の間に操作ボタン26〜33を配置した構成としている。
【００４３】
そのため、上記構成のリモートコントローラー１では、脚体22,23を用いて載置させた状態でリモートコントローラー１を操作してもリモートコントローラー１が転倒してしまうことがなく、リモートコントローラー１の使い勝手を向上させることができる。
【００４４】
また、上記リモートコントローラー１では、コントローラー本体21の前面に凹部25を形成し、その凹部25に操作ボタン26〜33を配置した構成としている。
【００４５】
そのため、上記構成のリモートコントローラー１では、リモートコントローラー１が表裏反転した状態となっても誤って操作ボタン26〜33が押圧操作されてしまうのを防止することができる。
【００４６】
また、上記リモートコントローラー１は、コントローラー本体21に設けた操作ボタン26〜33の形状をその操作によって生じる受台５の稼働方向を示す形状としている。
【００４７】
そのため、上記構成のリモートコントローラー１では、操作ボタン26〜33を目視しにくい状況であっても指先の感触で正しい操作ボタン26〜33を容易に選択することができ、不本意な操作ボタン26〜33が操作されてしまうのを防止することができる。
【符号の説明】
【００４８】
１  リモートコントローラー                ２  介護ベッド
３  基台                                  ４  横臥台
５  受台                                  ６  側柵
７  ヘッドボード                          ８  フットボード
９  背部受台                              10  尻部受台
11  大腿部受台                            12  下腿部受台
13〜16  横桟                              17  昇降機構
18  背部起倒機構                          19  脚部起倒機構
20  制御機構                              21  コントローラー本体
22,23  脚体                               24  フック
25  凹部                                  26〜33  操作ボタン
26a〜33a  ボタン本体                      26b〜33b  隆起部
34  係止部                                35,36  底面
37  係止部
【図１】
2012200470.tif 000003
【図２】
2012200470.tif 000004
【図３】
2012200470.tif 000005
【図４】
2012200470.tif 000006
【図５】
2012200470.tif 000007
【図６】
2012200470.tif 000008
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
背部や脚部の受台を起倒させたり昇降させるために用いる介護ベッド用リモートコントローラーにおいて、
コントローラー本体の後面に脚体を上下に間隔をあけて形成し、
前記脚体の上下間隔を介護ベッドに形成した側柵の横桟の上下間隔と同一の間隔とし、側柵の上下の横桟にそれぞれ上下の脚体を係止可能としたことを特徴とする介護ベッド用リモートコントローラー。
【請求項２】
前記コントローラー本体にフックを設け、フックと脚体との間の上下間隔を介護ベッドに形成した側柵の横桟の上下間隔と同一の間隔とし、側柵の上下の横桟にそれぞれ上下の脚体及びフックを係止可能としたことを特徴とする請求項１に記載の介護ベッド用リモートコントローラー。
【請求項３】
前記コントローラー本体の前面であって前記上下の脚体の間に操作ボタンを配置したことを特徴とする請求項１又は請求項２に記載の介護ベッド用リモートコントローラー。
【請求項４】
前記コントローラー本体の前面に凹部を形成し、その凹部に操作ボタンを配置したことを特徴とする請求項１〜請求項３のいずれかに記載の介護ベッド用リモートコントローラー。
【請求項５】
前記コントローラー本体に設けた操作ボタンの形状をその操作によって生じる受台の稼働方向を示す形状としたことを特徴とする請求項１〜請求項４のいずれかに記載の介護ベッド用リモートコントローラー。
【手続補正２】
【補正対象書類名】明細書
【補正対象項目名】０００９
【補正方法】変更
【補正の内容】
【０００９】
また、請求項１に係る本発明では、前記脚体の上下間隔を介護ベッドに形成した側柵の横桟の上下間隔と同一の間隔とし、側柵の上下の横桟にそれぞれ上下の脚体を係止可能とすることにした。
【手続補正３】
【補正対象書類名】明細書
【補正対象項目名】００１０
【補正方法】変更
【補正の内容】
【００１０】
また、請求項２に係る本発明では、前記請求項１に係る本発明において、前記コントローラー本体にフックを設け、フックと脚体との間の上下間隔を介護ベッドに形成した側柵の横桟の上下間隔と同一の間隔とし、側柵の上下の横桟にそれぞれ上下の脚体及びフックを係止可能とすることにした。
【手続補正４】
【補正対象書類名】明細書
【補正対象項目名】００１１
【補正方法】変更
【補正の内容】
【００１１】
また、請求項３に係る本発明では、前記請求項１又は請求項２に係る本発明において、前記コントローラー本体の前面であって前記上下の脚体の間に操作ボタンを配置することにした。
【手続補正５】
【補正対象書類名】明細書
【補正対象項目名】００１２
【補正方法】変更
【補正の内容】
【００１２】
また、請求項４に係る本発明では、前記請求項１〜請求項３のいずれかに係る本発明において、前記コントローラー本体の前面に凹部を形成し、その凹部に操作ボタンを配置することにした。
【手続補正６】
【補正対象書類名】明細書
【補正対象項目名】００１３
【補正方法】変更
【補正の内容】
【００１３】
また、請求項５に係る本発明では、前記請求項１〜請求項４のいずれかに係る本発明において、前記コントローラー本体に設けた操作ボタンの形状をその操作によって生じる受台の稼働方向を示す形状とすることにした。